(57)【特許請求の範囲】
【請求項１】
機械室内に冷却装置のコンプレッサと凝縮器を設置して成る冷蔵庫において、
前記機械室に構成された外気取入口及び外気排出口と、この外気取入口から前記コンプレッサを経て前記外気排出口に至る第一の通風路と、前記外気取入口から前記凝縮器及びコンプレッサを順次経て前記外気排出口に至る第二の通風路と、前記第一の通風路に外気を強制通風するための第一の送風機と、前記第二の通風路に外気を強制通風するための第二の送風機と、前記各送風機の運転を制御する制御装置とを備え、この制御装置は、前記コンプレッサの低負荷時に第一及び第二の送風機の運転を停止或いは第二の送風機のみを運転し、前記コンプレッサの高負荷時には前記第一及び第二の送風機の双方を運転することを特徴とする冷蔵庫。
【請求項２】
制御装置は、コンプレッサの温度を検出するセンサーを備え、このセンサーが検出する前記コンプレッサの温度が低い場合には第一及び第二の送風機の運転を停止或いは第二の送風機のみを運転し、高い場合には第一及び第二の送風機の双方を運転することを特徴とする請求項１の冷蔵庫。
【発明の詳細な説明】
【０００１】
【発明の属する技術分野】
本発明は、機械室内に冷却装置のコンプレッサと凝縮器を設置し、送風機にて機械室内に外気を強制通風して成る冷蔵庫に関するものである。
【０００２】
【従来の技術】
従来よりこの種家庭用冷蔵庫は、断熱箱体内に冷凍室や冷蔵室などを構成し、前記冷凍室内に冷却装置の冷却器を設置して各室内を冷却する一方、前記冷却装置のコンプレッサや凝縮器は、断熱箱体の下部に構成した機械室内に設置し、この機械室内に送風機にて外気を強制通風することによって、これらを空冷していた。
【０００３】
図２に係る従来の冷蔵庫１０１の機械室１０２部分の平断面図を示す。この図において、機械室１０２の前面には外気の取入口１０３が構成され、後面左側には外気の排出口１０４が構成されている。また、機械室１０２内は仕切壁１０６にて前後に区画されるが、この仕切壁１０６の前後は仕切壁１０６の右方の連通部１０７において連通されている。
【０００４】
そして、この仕切壁１０６の前側に冷却装置の凝縮器１１１が設置され、仕切壁１０６の後側であって、排出口１０４の前側に冷却装置のコンプレッサ１０８が設置されている。また、コンプレッサ１０８の右側にはモータ１１２にて運転される送風機（プロペラファン）１０９が設置されている。
【０００５】
係る構成で、送風機１０９のモータ１１２が運転されると、機械室１０２の取入口１０３から外気が取り入れられ、先ず凝縮器１１１を通過して空冷した後、連通部１０７から送風機１０９を経てコンプレッサ１０８に至り、当該コンプレッサ１０８を空冷してから排出口１０４から排出される（このときの風の流れを図２に白抜き矢印で示す）。これによって、凝縮器１１１にて高温冷媒を凝縮させつつ、コンプレッサ１０８を冷却するものであった。
【０００６】
【発明が解決しようとする課題】
しかしながら、近年では凝縮器１１１が高性能化されて来たため、凝縮器１１１の放熱性能が向上し、凝縮器１１１を通過した後の外気の温度も、より上昇するようになって来ている。そのため、逆にコンプレッサ１０８の空冷能力は低下するようになってきており、特に、冷蔵庫の設置後や除霜後のプルダウン時などの高負荷時には、コンプレッサ１０８の温度が異常に上昇して、運転効率が低下すると共に、最悪の場合には焼き付きを生じる危険性があった。
【０００７】
本発明は、係る従来の技術的課題を解決するために成されたものであり、機械室内に設置したコンプレッサや凝縮器の空冷を、確実且つ円滑に行うことができる冷蔵庫を提供するものである。
【０００８】
【課題を解決するための手段】
本発明の冷蔵庫は、機械室内に冷却装置のコンプレッサと凝縮器を設置して成るものであって、機械室に構成された外気取入口及び外気排出口と、この外気取入口からコンプレッサを経て外気排出口に至る第一の通風路と、外気取入口から凝縮器及びコンプレッサを順次経て外気排出口に至る第二の通風路と、第一の通風路に外気を強制通風するための第一の送風機と、第二の通風路に外気を強制通風するための第二の送風機と、各送風機の運転を制御する制御装置とを備えており、この制御装置は、コンプレッサの低負荷時に第一及び第二の送風機の運転を停止或いは第二の送風機のみを運転し、コンプレッサの高負荷時には第一及び第二の送風機の双方を運転するものである。
【０００９】
本発明によれば、機械室内に冷却装置のコンプレッサと凝縮器を設置して成る冷蔵庫において、機械室に構成された外気取入口及び外気排出口と、この外気取入口からコンプレッサを経て外気排出口に至る第一の通風路と、外気取入口から凝縮器及びコンプレッサを順次経て外気排出口に至る第二の通風路と、第一の通風路に外気を強制通風するための第一の送風機と、第二の通風路に外気を強制通風するための第二の送風機と、各送風機の運転を制御する制御装置とを設け、この制御装置が、コンプレッサの低負荷時に第一及び第二の送風機の運転を停止或いは第二の送風機のみを運転し、コンプレッサの高負荷時には第一及び第二の送風機の双方を運転するよう構成したので、コンプレッサの低負荷状態においては第二の送風機により従来通り外気を凝縮器からコンプレッサへと流し、凝縮器を空冷した後の外気にてコンプレッサをも空冷する。
【００１０】
そして、冷蔵庫の据え付け後や除霜後などにコンプレッサが高負荷となると、第一の送風機をも運転して凝縮器を経ていない外気を直接コンプレッサに流し、温度の低い外気によって強力にコンプレッサを空冷することが可能となる。これにより、消費電力の増大を最小限に抑制しつつ、コンプレッサの高負荷状態を迅速に解消し、コンプレッサの運転効率の改善と耐久性の向上を図ることができるようになるものである。
【００１１】
請求項２の発明の冷蔵庫は、上記においてコンプレッサの温度を検出するセンサーを設け、制御装置はセンサーが検出するコンプレッサの温度が低い場合には第一及び第二の送風機の運転を停止或いは第二の送風機のみを運転し、高い場合には第一及び第二の送風機の双方を運転するものである。
【００１２】
請求項２の発明によれば、上記に加えてコンプレッサの温度を検出するセンサーを設け、制御装置はセンサーが検出するコンプレッサの温度が低い場合には第一及び第二の送風機の運転を停止或いは第二の送風機のみを運転し、高い場合には第一及び第二の送風機の双方を運転するようにしたので、コンプレッサに加わる負荷の状態を迅速に判定し、各送風機の運転を的確に制御することができるようになるものである。
【００１３】
【発明の実施の形態】
次に、図面に基づき本発明の実施形態を詳述する。図１は本発明を適用する実施例としての家庭用冷蔵庫１の機械室２部分の平断面図である。本発明の冷蔵庫１は図示しない断熱箱体内に冷凍室や冷蔵室を構成しており、この断熱箱体の下部には機械室２が構成され、この機械室２の前面２Ａに外気の取入口３が構成されると共に、後面２Ｂ左側には外気の排出口４が構成されている。また、機械室２内は仕切壁６にて二つの領域に区画されている。
【００１４】
この場合、仕切壁６は略Ｌ字状を呈しており、その前端６Ａは取入口３を左右に仕切ると共に、当該前端６Ａから機械室２の左側面２Ｃと所定の間隔を存して後方に延在している。そして、後面２Ｂと所定の間隔を存して右方に屈曲し、その右端６Ｂは機械室２の右側面２Ｄと所定の間隔を存して終了し、そこに連通部７を構成している。
【００１５】
これにより、仕切壁６の左側の機械室２内に取入口３から排出口４に至る通風路（第一の通風路）８が構成されると共に、仕切壁６の右側の機械室２内には取入口３から連通部７を経て仕切壁６の後側を通り排出口４に至る通風路（第二の通風路）９が構成される。そして、これら通風路８、９は排出口４の直前において合流している。
【００１６】
そして、この連通部７の前側であって仕切壁６の右側の前記通風路９中に冷却装置の凝縮器１１が設置され、仕切壁６の左後側であって排出口４の前側、即ち、両通風路８、９が合流する位置には冷却装置のコンプレッサ１２が設置されている。また、コンプレッサ１２の前側の通風路８中にはモータ１３にて運転される送風機（第一の送風機：プロペラファン）１４が設置され、連通部７にはモータ１６にて運転される送風機（第一の送風機：プロペラファン）１７が設置されている。
【００１７】
更に、コンプレッサ１２には温度センサー１８が取り付けられ、コンプレッサ１２の容器温度を検出する。この温度センサー１８の出力は制御装置２１に接続され、この制御装置２１は温度センサー１８の出力とコンプレッサ１２の運転信号に基づいて前記両送風機１４、１７のモータ１３、１６の運転を制御する。
【００１８】
以上の構成で次ぎに動作を説明する。断熱箱体内の図示しない冷凍室内には前記コンプレッサ１２や凝縮器１１と共に冷却装置を構成する図示しない冷却器が配設されており、この冷凍室内の温度が設定値より高い場合には前記運転信号が発せられ、制御装置２１はコンプレッサ１２を運転する。
【００１９】
コンプレッサ１２から吐出された高温高圧のガス冷媒は凝縮器１１にて放熱し、凝縮液化した後図示しない減圧装置（キャピラリチューブ等）を経て絞られ、前記冷却器に流入して蒸発する。このときの吸熱作用によって冷凍室や冷蔵室内を冷却する。
【００２０】
一方、コンプレッサ１２が通常の負荷（低負荷）状態であり、その温度が所定の温度以下の場合には、温度センサー１８の出力に基づき、コンプレッサ１２に同期して送風機１７のモータ１６を運転する。このとき、送風機１４のモータ１３は停止している。モータ１６により送風機１７が駆動されると、機械室２の右側の取入口３から外気が取り入れられ、通風路９に入って先ず凝縮器１１を通過して空冷した後、連通部７から送風機１７を経てコンプレッサ１２に至り、当該コンプレッサ１２を空冷してから排出口４から排出される。これによって、凝縮器１１にて前記高温冷媒を凝縮させつつ、コンプレッサ１２を冷却する。
【００２１】
そして、前記冷凍室内の設定値まで冷却されると、運転信号が無くなり、制御装置２１はコンプレッサ１２を停止する。これによって、送風機１７のモータ１６も停止されると共に、以上を繰り返して冷凍室内の温度（冷蔵室はダンパーなどで温度制御される）を設定値に維持する。
【００２２】
他方、冷蔵庫１の据え付け直後や、前記冷却器の除霜直後などのプルダウン時などにコンプレッサ１２の負荷が増大し、コンプレッサ１２の運転中にその温度が所定の温度より高くなると、温度センサー１８の出力に基づき、制御装置２１は送風機１７のモータ１６に加えて送風機１４のモータ１３をも運転する。
【００２３】
モータ１３により送風機１４が運転されると、機械室２の左側の取入口３から外気が取り入れられ、通風路８を通り送風機１４を経て直接コンプレッサ１２に至り、当該コンプレッサ１２を空冷して排出口４から排出されるようになる（このときの風の流れを図１に白抜き矢印で示す）。
【００２４】
これによって、コンプレッサ１２には送風機１７から風に加えて、送風機１４から直接外気（凝縮器１１を経ていない低温の外気）が吹き付けられるようになる。そして、コンプレッサ１２の温度が前記所定の温度以下に低下したら、制御装置２１は送風機１４のモータ１３を停止する。
【００２５】
このように本発明ではコンプレッサ１２の低負荷状態においては送風機１７により従来通り外気を凝縮器１１からコンプレッサ１２へと流し、凝縮器１１を空冷した後の外気にてコンプレッサ１２をも空冷すると共に、冷蔵庫１の据え付け後や除霜後などにコンプレッサ１２が高負荷となると、送風機１４をも運転して凝縮器１１を経ていない外気を直接コンプレッサ１２に流し、温度の低い外気によって強力にコンプレッサ１２を空冷する。
【００２６】
これにより、消費電力の増大を最小限に抑制しつつ、コンプレッサ１２の高負荷状態を迅速に解消し、コンプレッサ１２の運転効率の改善と耐久性の向上を図ることができるようになる。特に、コンプレッサ１２の温度によって送風機１７、１４の運転を制御しているので、コンプレッサ１２に加わる負荷の状態を迅速に判定し、各送風機１７、１４の運転を的確に制御することができるようになる。
【００２７】
尚、実施例では家庭用冷蔵庫について説明したが、それに限らず、業務用冷蔵庫やショーケースなどにも本発明は有効である。
【００２８】
【発明の効果】
以上詳述した如く本発明によれば、機械室内に冷却装置のコンプレッサと凝縮器を設置して成る冷蔵庫において、機械室に構成された外気取入口及び外気排出口と、この外気取入口からコンプレッサを経て外気排出口に至る第一の通風路と、外気取入口から凝縮器及びコンプレッサを順次経て外気排出口に至る第二の通風路と、第一の通風路に外気を強制通風するための第一の送風機と、第二の通風路に外気を強制通風するための第二の送風機と、各送風機の運転を制御する制御装置とを設け、この制御装置が、コンプレッサの低負荷時に第一及び第二の送風機の運転を停止或いは第二の送風機のみを運転し、コンプレッサの高負荷時には第一及び第二の送風機の双方を運転するよう構成したので、コンプレッサの低負荷状態においては第二の送風機により従来通り外気を凝縮器からコンプレッサへと流し、凝縮器を空冷した後の外気にてコンプレッサをも空冷する。
【００２９】
そして、冷蔵庫の据え付け後や除霜後などにコンプレッサが高負荷となると、第一の送風機をも運転して凝縮器を経ていない外気を直接コンプレッサに流し、温度の低い外気によって強力にコンプレッサを空冷することが可能となる。これにより、消費電力の増大を最小限に抑制しつつ、コンプレッサの高負荷状態を迅速に解消し、コンプレッサの運転効率の改善と耐久性の向上を図ることができるようになるものである。
【００３０】
また、請求項２の発明によれば、上記に加えてコンプレッサの温度を検出するセンサーを設け、制御装置はセンサーが検出するコンプレッサの温度が低い場合には第一及び第二の送風機の運転を停止或いは第二の送風機のみを運転し、高い場合には第一及び第二の送風機の双方を運転するようにしたので、コンプレッサに加わる負荷の状態を迅速に判定し、各送風機の運転を的確に制御することができるようになるものである。
【図面の簡単な説明】
【図１】本発明を適用した冷蔵庫の機械室部分の平断面図である。
【図２】従来の冷蔵庫の機械室部分の平断面図である。
【符号の説明】
１  冷蔵庫
２  機械室
３  取入口
４  排出口
８、９  通風路
１１  凝縮器
１２  コンプレッサ
１４、１７  送風機
１８  温度センサー
２１  制御装置
【図１】
0003716897.tif 000002
【図２】
0003716897.tif 000003